(57)【要約】【課題】放射線画像撮影装置の可搬性能を損なうことなく、撮影によって得られた画像情報が如何なる撮影によって得られたものであるかを容易に特定することのできる放射線画像撮影システム、電源装置、充電装置、および放射線画像撮影方法を得る。【解決手段】電子カセッテ３２に着脱可能に構成された電源装置９６にメモリ９６Ｂを設け、当該メモリ９６Ｂに、少なくとも撮影対象者に関する撮影対象情報（被検者情報）と電子カセッテ３２による当該撮影対象者に対する撮影によって得られた画像情報（被検者画像データ）とを関連付けて記憶する。【選択図】図６
2012035009.tif 000002
【特許請求の範囲】
【請求項１】
撮影対象者を透過した放射線により示される放射線画像が撮影可能に構成された放射線画像撮影装置と、
前記放射線画像撮影装置に駆動用の電力を供給する充電可能な電源部、および少なくとも前記撮影対象者に関する撮影対象情報と前記放射線画像撮影装置による当該撮影対象者に対する撮影によって得られた画像情報とを関連付けて記憶するための記憶手段を備え、前記放射線画像撮影装置に対して着脱可能に構成された電源装置と、
を有する放射線画像撮影システム。
【請求項２】
前記放射線画像撮影装置は、前記撮影対象情報を無線にて受信する受信手段をさらに備えた
請求項１記載の放射線画像撮影システム。
【請求項３】
前記放射線画像撮影装置は、前記画像情報に対して情報量が少なくなるように画像処理を行う画像処理手段と、前記画像処理手段によって画像処理が行われた前記画像情報を無線にて送信する送信手段と、をさらに備えた
請求項１または請求項２記載の放射線画像撮影システム。
【請求項４】
前記撮影対象情報は、前記撮影対象者を特定する特定情報を含む
請求項１から請求項３の何れか１項記載の放射線画像撮影システム。
【請求項５】
前記撮影対象情報は、前記撮影対象者に対する撮影条件を示す情報をさらに含む
請求項４記載の放射線画像撮影システム。
【請求項６】
前記電源装置が装着された状態で当該電源装置の前記電源部に充電する充電手段、および前記電源装置が装着された状態で当該電源装置の前記記憶手段から前記撮影対象情報および前記画像情報を読み取る読取手段を備えた充電装置をさらに有する
請求項１から請求項５の何れか１項記載の放射線画像撮影システム。
【請求項７】
前記充電装置は、前記電源装置が装着された状態で、当該電源装置の前記電源部の充電状態を示す情報を表示する表示手段をさらに備えた
請求項６記載の放射線画像撮影システム。
【請求項８】
前記充電装置は、前記電源装置が装着された状態で、当該電源装置の前記電源部の充電が完了していない場合に当該電源装置の脱着を禁止する脱着禁止手段をさらに備えた
請求項６または請求項７記載の放射線画像撮影システム。
【請求項９】
前記充電装置は、商用電源の電力線を介して通信を行う通信手段をさらに備えた
請求項６から請求項８の何れか１項記載の放射線画像撮影システム。
【請求項１０】
前記放射線画像撮影装置および前記電源装置は、バッテリ・ホット・スワップ機能を有するものとして構成されている
請求項１から請求項９の何れか１項記載の放射線画像撮影システム。
【請求項１１】
前記放射線画像撮影装置は、電子カセッテである
請求項１から請求項１０の何れか１項記載の放射線画像撮影システム。
【請求項１２】
撮影対象者を透過した放射線により示される放射線画像が撮影可能に構成された放射線画像撮影装置に駆動用の電力を供給する充電可能な電源部と、
少なくとも前記撮影対象者に関する撮影対象情報および前記放射線画像撮影装置による当該撮影対象者に対する撮影によって得られた画像情報を関連付けて記憶するための記憶手段と、
を備え、
前記放射線画像撮影装置に対して着脱可能に構成された電源装置。
【請求項１３】
撮影対象者を透過した放射線により示される放射線画像が撮影可能に構成された放射線画像撮影装置に駆動用の電力を供給する充電可能な電源部、および少なくとも前記撮影対象者に関する撮影対象情報と前記放射線画像撮影装置による当該撮影対象者に対する撮影によって得られた画像情報とを関連付けて記憶するための記憶手段を備え、前記放射線画像撮影装置に対して着脱可能に構成された電源装置が装着された状態で当該電源装置の前記電源部に充電する充電手段と、
前記電源装置が装着された状態で当該電源装置の前記記憶手段から前記画像情報および前記撮影対象情報を読み取る読取手段と、
を備えた充電装置。
【請求項１４】
撮影対象者を透過した放射線により示される放射線画像が撮影可能に構成された放射線画像撮影装置と、
前記放射線画像撮影装置に駆動用の電力を供給する充電可能な電源部、および少なくとも前記撮影対象者に関する撮影対象情報を記憶するための記憶手段を備え、前記放射線画像撮影装置に対して着脱可能に構成された電源装置と、
前記電源装置が装着された状態で当該電源装置の前記電源部に充電する充電手段を備えた充電装置と、
を有する放射線画像撮影システムにおいて実行される放射線画像撮影方法であって、
前記放射線画像撮影装置により、当該放射線画像撮影装置による前記撮影対象者に対する撮影によって得られた画像情報を対応する前記撮影対象情報に関連付けて前記記憶手段に記憶する記憶工程と、
前記充電装置により、前記電源装置が装着された状態で、当該電源装置の前記記憶手段に記憶されている前記撮影対象情報および前記画像情報を読み出す読出工程と、
を有する放射線画像撮影方法。
【発明の詳細な説明】
【技術分野】
【０００１】
本発明は、放射線画像撮影システム、電源装置、充電装置、および放射線画像撮影方法に係り、特に、撮影対象者を透過した放射線により示される放射線画像を撮影する放射線画像撮影システムと、当該放射線画像撮影システムにおいて用いられる電源装置および充電装置と、上記放射線画像撮影システムによる放射線画像撮影方法とに関する。
【背景技術】
【０００２】
近年、ＴＦＴ（Thin Film Transistor）アクティブマトリクス基板上に放射線感応層を配置し、放射線を直接デジタルデータに変換できるＦＰＤ（Flat Panel Detector）等の放射線検出器が実用化されており、この放射線検出器を用いて、照射された放射線により表わされる放射線画像を撮影する可搬型放射線画像撮影装置（以下、「電子カセッテ」ともいう。）が実用化されている。なお、上記電子カセッテに用いられる放射線検出器には、放射線を変換する方式として、放射線をシンチレータで光に変換した後にフォトダイオード等の半導体層で電荷に変換する間接変換方式や、放射線をアモルファスシリコン等の半導体層で電荷に変換する直接変換方式等があり、各方式でも半導体層に使用可能な材料が種々存在する。
【０００３】
この種の従来の放射線画像撮影装置においては、稼働用の電力の供給、および撮影によって得られた画像情報の上位装置への確実な転送のためにケーブルが具備されているものが多く、可搬型の装置であっても、そのメリットを生かしきれていなかった。
【０００４】
この問題を解決するために適用できる技術として、特許文献１には、入射した放射線強度と相関を有する電荷を生成する撮像素子を格子状に配列した放射線撮像手段と、当該放射線撮像手段に接続し、前記電荷をデジタル画素値に変換する変換手段と、当該変換手段に接続し、装置本体から着脱可能で、かつ可搬型記録媒体を使用し、前記デジタル画素値を受け取って記録する記録手段と、前記放射線撮像手段、前記変換手段、前記記録手段に接続し、これらの手段を動作させるための電源とを有することを特徴とする放射線撮影装置が開示されている。
【０００５】
この技術によれば、撮影により得られた画像情報を、装置本体から着脱可能に構成された可搬型記録媒体を用いて上位装置に受け渡すことができるため、ケーブルを用いることなく、当該画像情報の上位装置への転送を確実に行うことができる。
【０００６】
また、特許文献２には、被検体へＸ線を照射するＸ線管とワイヤレス信号を送信するワイヤレス信号送信装置と、Ｘ線照射に伴ってＸ線検出素子から出力される検出データを収集する信号収集手段を備えるＸ線検出器と、このＸ線検出器に収納した電源を供給するバッテリと、ワイヤレス信号を受信するワイヤレス受信装置を有する画像処理装置を備えている装置において、前記バッテリが前記Ｘ線検出器より着脱自在に構成し、このＸ線検出器が前記バッテリの予備バッテリを有することを特徴とするＸ線撮影装置が開示されている。
【０００７】
この技術によれば、電力供給用のバッテリをＸ線検出器より着脱自在に構成しているので、電力供給用にケーブルを設ける必要がなく、その可搬性能を向上させることができる。
【先行技術文献】
【特許文献】
【０００８】
【特許文献１】特開２００２−１９０５８４号公報
【特許文献２】特開２００１−２２４５７９号公報
【発明の概要】
【発明が解決しようとする課題】
【０００９】
しかしながら、上記特許文献１に開示されている技術では、上位装置において可搬型記録媒体を用いて受け渡された画像情報が如何なる撮影によって得られたものであるのかを特定することが難しい、という問題点があった。
【００１０】
特に、撮影時から比較的長い時間が経過した後に可搬型記録媒体を用いて画像情報が上位装置に受け渡された場合や、上位装置に一度に受け渡す画像情報が複数存在し、各画像情報が、複数の撮影対象者に対して撮影を行うことにより得られたものである場合や、同一の撮影対象者に対して複数の異なる撮影条件で撮影を行うことによって得られたものである場合等には、上位装置では、受け渡された画像情報が如何なる撮影によるものであるのかを特定することが極めて困難である。
【００１１】
なお、上記特許文献２に開示されている技術では、放射線撮影装置の可搬性能は向上させることができるものの、上記画像情報の特定に関しては何ら考慮されていないため、この問題点については無力である。
【００１２】
本発明は上記問題点を解決するためになされたものであり、放射線画像撮影装置の可搬性能を損なうことなく、撮影によって得られた画像情報が如何なる撮影によって得られたものであるかを容易に特定することのできる放射線画像撮影システム、電源装置、充電装置、および放射線画像撮影方法を提供することを目的とする。
【課題を解決するための手段】
【００１３】
上記目的を達成するために、請求項１に記載の放射線画像撮影システムは、撮影対象者を透過した放射線により示される放射線画像が撮影可能に構成された放射線画像撮影装置と、前記放射線画像撮影装置に駆動用の電力を供給する充電可能な電源部、および少なくとも前記撮影対象者に関する撮影対象情報と前記放射線画像撮影装置による当該撮影対象者に対する撮影によって得られた画像情報とを関連付けて記憶するための記憶手段を備え、前記放射線画像撮影装置に対して着脱可能に構成された電源装置と、を有している。
【００１４】
請求項１に記載の放射線画像撮影システムによれば、放射線画像撮影装置により、撮影対象者を透過した放射線により示される放射線画像が撮影される。
【００１５】
また、本発明では、前記放射線画像撮影装置に対して着脱可能に構成された電源装置により、充電（蓄電）可能に構成された電源部によって、前記放射線画像撮影装置に駆動用の電力が供給される。
【００１６】
ここで、本発明に係る電源装置では、少なくとも前記撮影対象者に関する撮影対象情報と前記放射線画像撮影装置による当該撮影対象者に対する撮影によって得られた画像情報とが関連付けられて記憶手段に記憶される。
【００１７】
従って、本発明の電源装置を用いて上記記憶手段に記憶されている撮影対象情報および画像情報を関連付けられた状態で上位装置に受け渡す一方、上位装置側で撮影対象情報を参照することにより、当該撮影対象情報に関連付けられている画像情報が如何なる撮影によって得られたものであるかを容易に特定することができる。
【００１８】
また、本発明では、前記記憶手段を備えた前記電源装置を放射線画像撮影装置に着脱可能に構成しているので、放射線画像撮影装置の可搬性能を損なうこともない。
【００１９】
このように、請求項１に記載の放射線画像撮影システムによれば、放射線画像撮影装置に着脱可能に構成された電源装置に記憶手段を設け、当該記憶手段に、少なくとも撮影対象者に関する撮影対象情報と前記放射線画像撮影装置による当該撮影対象者に対する撮影によって得られた画像情報とを関連付けて記憶しているので、放射線画像撮影装置の可搬性能を損なうことなく、撮影によって得られた画像情報が如何なる撮影によって得られたものであるかを容易に特定することができる。
【００２０】
なお、上記記憶手段には、ＲＡＭ（Random Access Memory）、ＥＥＰＲＯＭ（Electrically Erasable and Programmable Read Only Memory）、フラッシュＥＥＰＲＯＭ（Flash EEPROM）等の半導体記憶素子、ｘＤピクチャカード（登録商標）、ＳＤメモリ（登録商標）等の可搬記録媒体やハードディスク等の固定記録媒体が含まれる。
【００２１】
また、本発明は、請求項２に記載の発明のように、前記放射線画像撮影装置が、前記撮影対象情報を無線にて受信する受信手段をさらに備えてもよい。これにより、前記撮影対象情報を有線にて受信する場合に比較して、より放射線画像撮影装置の可搬性能を向上させることができる。
【００２２】
また、本発明は、請求項３に記載の発明のように、前記放射線画像撮影装置が、前記画像情報に対して情報量が少なくなるように画像処理を行う画像処理手段と、前記画像処理手段によって画像処理が行われた前記画像情報を無線にて送信する送信手段と、をさらに備えてもよい。これにより、前記画像情報を有線にて送信する場合に比較して、より放射線画像撮影装置の可搬性能を向上させることができると共に、前記画像情報を、前記画像処理を行わずに送信する場合に比較して、より短時間で画像情報を送信することができる。
【００２３】
また、本発明は、請求項４に記載の発明のように、前記撮影対象情報が、前記撮影対象者を特定する特定情報を含んでもよい。これにより、撮影によって得られた画像情報に対応する撮影対象者を容易に特定することができる。なお、上記特定情報には、前記撮影対象者の名前、および当該撮影対象者に予め付与されたＩＤ（Identification）情報が含まれる。
【００２４】
特に、請求項４に記載の発明は、請求項５に記載の発明のように、前記撮影対象情報が、前記撮影対象者に対する撮影条件を示す情報をさらに含んでもよい。これにより、撮影によって得られた画像情報が如何なる撮影条件によって得られたものであるかを容易に特定することができる。
【００２５】
また、本発明は、請求項６に記載の発明のように、前記電源装置が装着された状態で当該電源装置の前記電源部に充電する充電手段、および前記電源装置が装着された状態で当該電源装置の前記記憶手段から前記撮影対象情報および前記画像情報を読み取る読取手段を備えた充電装置をさらに有してもよい。これにより、前記撮影対象情報および前記画像情報を、前記充電装置を介して上位装置に転送することができるため、当該転送を無線で行う場合に比較して、より確実に当該転送を行うことができる。
【００２６】
特に、請求項６に記載の発明は、請求項７に記載の発明のように、前記充電装置が、前記電源装置が装着された状態で、当該電源装置の前記電源部の充電状態を示す情報を表示する表示手段をさらに備えてもよい。これにより、前記電源部の充電状態を容易に把握することができ、ユーザにとっての利便性を、より向上させることができる。
【００２７】
また、請求項６または請求項７に記載の発明は、請求項８に記載の発明のように、前記充電装置が、前記電源装置が装着された状態で、当該電源装置の前記電源部の充電が完了していない場合に当該電源装置の脱着を禁止する脱着禁止手段をさらに備えてもよい。これにより、充電が完了していない電源装置の使用を未然に防止することができる結果、ユーザにとっての利便性を、より向上させることができる。
【００２８】
また、請求項６から請求項８の何れか１項に記載の発明は、請求項９に記載の発明のように、前記充電装置が、商用電源の電力線を介して通信を行う通信手段をさらに備えてもよい。これにより、充電装置を商用電源電力の供給部（コンセント）を有する如何なる場所にでも設置することができる結果、ユーザにとっての利便性を、より向上させることができる。
【００２９】
また、本発明は、請求項１０に記載の発明のように、前記放射線画像撮影装置および前記電源装置を、バッテリ・ホット・スワップ機能を有するものとして構成してもよい。これにより、ユーザにとっての利便性を、より向上させることができる。
【００３０】
さらに、本発明は、請求項１１に記載の発明のように、前記放射線画像撮影装置を、電子カセッテとしてもよい。これにより、電子カセッテの可搬性能を損なうことなく、撮影によって得られた画像情報が如何なる撮影によって得られたものであるかを容易に特定することができる。
【００３１】
一方、上記目的を達成するために、請求項１２に記載の電源装置は、撮影対象者を透過した放射線により示される放射線画像が撮影可能に構成された放射線画像撮影装置に駆動用の電力を供給する充電可能な電源部と、少なくとも前記撮影対象者に関する撮影対象情報および前記放射線画像撮影装置による当該撮影対象者に対する撮影によって得られた画像情報を関連付けて記憶するための記憶手段と、を備え、前記放射線画像撮影装置に対して着脱可能に構成されている。
【００３２】
従って、請求項１２に記載の電源装置は、請求項１に記載の放射線画像撮影システムにおける電源装置と同様に作用するので、当該放射線画像撮影システムにおける放射線画像撮影装置と併用することにより、当該放射線画像撮影システムと同様に、放射線画像撮影装置の可搬性能を損なうことなく、撮影によって得られた画像情報が如何なる撮影によって得られたものであるかを容易に特定することができる。
【００３３】
一方、上記目的を達成するために、請求項１３に記載の充電装置は、撮影対象者を透過した放射線により示される放射線画像が撮影可能に構成された放射線画像撮影装置に駆動用の電力を供給する充電可能な電源部、および少なくとも前記撮影対象者に関する撮影対象情報と前記放射線画像撮影装置による当該撮影対象者に対する撮影によって得られた画像情報とを関連付けて記憶するための記憶手段を備え、前記放射線画像撮影装置に対して着脱可能に構成された電源装置が装着された状態で当該電源装置の前記電源部に充電する充電手段と、前記電源装置が装着された状態で当該電源装置の前記記憶手段から前記画像情報および前記撮影対象情報を読み取る読取手段と、を備えている。
【００３４】
従って、請求項１３に記載の充電装置は、請求項６に記載の放射線画像撮影システムにおける充電装置と同様に作用するので、当該放射線画像撮影システムにおける放射線画像撮影装置および電源装置と併用することにより、当該放射線画像撮影システムと同様に、撮影対象情報および画像情報の上位装置への転送を無線で行う場合に比較して、より確実に当該転送を行うことができる。
【００３５】
一方、上記目的を達成するために、請求項１４に記載の放射線画像撮影方法は、撮影対象者を透過した放射線により示される放射線画像が撮影可能に構成された放射線画像撮影装置と、前記放射線画像撮影装置に駆動用の電力を供給する充電可能な電源部、および少なくとも前記撮影対象者に関する撮影対象情報を記憶するための記憶手段を備え、前記放射線画像撮影装置に対して着脱可能に構成された電源装置と、前記電源装置が装着された状態で当該電源装置の前記電源部に充電する充電手段を備えた充電装置と、を有する放射線画像撮影システムにおいて実行される放射線画像撮影方法であって、前記放射線画像撮影装置により、当該放射線画像撮影装置による前記撮影対象者に対する撮影によって得られた画像情報を対応する前記撮影対象情報に関連付けて前記記憶手段に記憶する記憶工程と、前記充電装置により、前記電源装置が装着された状態で、当該電源装置の前記記憶手段に記憶されている前記撮影対象情報および前記画像情報を読み出す読出工程と、を有する。
【００３６】
従って、請求項１４に記載の放射線画像撮影方法は、請求項６に記載の放射線画像撮影システムと同様に作用するので、当該放射線画像撮影システムと同様に、撮影対象情報および画像情報の上位装置への転送を無線で行う場合に比較して、より確実に当該転送を行うことができる。
【発明の効果】
【００３７】
本発明によれば、放射線画像撮影装置の可搬性能を損なうことなく、撮影によって得られた画像情報が如何なる撮影によって得られたものであるかを容易に特定することができる、という効果が得られる。
【図面の簡単な説明】
【００３８】
【図１】実施の形態に係る放射線情報システムの構成を示すブロック図である。
【図２】実施の形態に係る放射線画像撮影システムの放射線撮影室における各装置の配置状態の一例を示す側面図である。
【図３】実施の形態に係る電子カセッテの内部構成を示す透過斜視図である。
【図４】実施の形態に係る充電装置および電源装置の構成と、充電装置に電源装置が装着された状態を示す斜視図である。
【図５】実施の形態に係る電子カセッテの構成と、電子カセッテへの電源装置の着脱の状態を示す斜視図である。
【図６】実施の形態に係る放射線画像撮影システムの電気系の要部構成を示すブロック図である。
【図７】実施の形態に係る撮影オーダ情報の構成を示す模式図である。
【図８】実施の形態に係る電源装置受け渡し処理プログラムの処理の流れを示すフローチャートである。
【図９】実施の形態に係る被検者情報書込処理プログラムの処理の流れを示すフローチャートである。
【図１０】実施の形態に係る放射線画像撮影処理プログラムの処理の流れを示すフローチャートである。
【図１１】実施の形態に係る放射線画像撮影処理プログラムの実行により表示される警告画面の構成例を示す概略図である。
【図１２】実施の形態に係る撮影実施処理プログラムの処理の流れを示すフローチャートである。
【図１３】実施の形態に係る充電開始処理プログラムの処理の流れを示すフローチャートである。
【図１４】実施の形態に係る曝射終了時点の推定方法の説明に供するタイムチャートである。
【図１５】実施の形態に係るリセット動作に関する説明に供するタイムチャートである。
【図１６】他の実施の形態に係るリセット動作に関する説明に供するタイムチャートである。
【図１７】実施の形態に係る電子カセッテの変形例を示す斜視図である。
【発明を実施するための形態】
【００３９】
以下、図面を参照して、本発明の実施の形態について詳細に説明する。なお、ここでは、本発明を、病院における放射線科部門で取り扱われる情報を統括的に管理するシステムである放射線情報システムに適用した場合の形態例について説明する。
【００４０】
まず、図１を参照して、本実施の形態に係る放射線情報システム（以下、「ＲＩＳ」（Radiology Information System）と称する。）１０の構成について説明する。
【００４１】
ＲＩＳ１０は、放射線科部門内における、診療予約、診断記録等の情報管理を行うためのシステムであり、病院情報システム（以下、「ＨＩＳ」（Hospital Information System）と称する。）の一部を構成する。
【００４２】
ＲＩＳ１０は、複数の撮影依頼端末装置（以下、「端末装置」と称する。）１２、ＲＩＳサーバ１４、および病院内の放射線撮影室（あるいは手術室）の個々に設置された放射線画像撮影システム（以下、「撮影システム」と称する。）１８を有しており、これらが有線や無線のＬＡＮ（Local Area Network）等から成る病院内ネットワーク１６に各々接続されて構成されている。なお、ＲＩＳ１０は、同じ病院内に設けられたＨＩＳの一部を構成しており、病院内ネットワーク１６には、ＨＩＳ全体を管理するＨＩＳサーバ（図示省略。）も接続されている。
【００４３】
端末装置１２は、医師や放射線技師が、診断情報や施設予約の入力、閲覧等を行うためのものであり、放射線画像の撮影依頼や撮影予約もこの端末装置１２を介して行われる。各端末装置１２は、表示装置を有するパーソナル・コンピュータを含んで構成され、ＲＩＳサーバ１４と病院内ネットワーク１６を介して相互通信が可能とされている。
【００４４】
一方、ＲＩＳサーバ１４は、各端末装置１２からの撮影依頼を受け付け、撮影システム１８における放射線画像の撮影スケジュールを管理するものであり、データベース１４Ａを含んで構成されている。
【００４５】
データベース１４Ａは、患者の属性情報（氏名、ＩＤ、性別、生年月日、年齢、血液型、体重等）、病歴、受診歴、過去に撮影した放射線画像等の患者に関する情報（以下、「患者情報」と称する。）、撮影システム１８で用いられる、後述する電子カセッテ３２の識別番号、型式、サイズ、感度、使用可能な撮影部位（対応可能な撮影依頼の内容）、使用可能な後述する電源装置、使用開始年月日、使用回数等の電子カセッテ３２に関する情報（以下、「電子カセッテ情報」と称する。）、および電子カセッテ３２を用いて放射線画像を撮影する環境、すなわち、電子カセッテ３２を使用する環境（一例として、放射線撮影室や手術室等）を示す環境情報を含んで構成されている。
【００４６】
ここで、データベース１４Ａは、患者の体における放射線画像の撮影対象とする部位（以下、「撮影部位」と称する。）、使用する電子カセッテの種類（以下、「使用カセッテ」と称する。）、撮影枚数、撮影時における患者の姿勢（本実施の形態では、臥位または立位）、および患者に対する放射線の照射方向等の放射線撮影を行う際の条件を示す情報である撮影メニューが含まれている。
【００４７】
撮影システム１８は、ＲＩＳサーバ１４からの指示に応じて医師や放射線技師の操作により放射線画像の撮影を行う。撮影システム１８は、放射線源１３０（図２も参照。）から曝射条件に従った線量とされた放射線Ｘ（図３も参照。）を患者に照射する放射線発生装置３４と、患者の撮影部位を透過した放射線Ｘを吸収して電荷を発生し、発生した電荷量に基づいて放射線画像を示す画像情報を生成する放射線検出器６０（図３も参照。）を内蔵する電子カセッテ３２と、電子カセッテ３２に着脱可能に構成された電源装置９６（図３も参照。）を充電する充電装置４０と、電子カセッテ３２，放射線発生装置３４，および充電装置４０を制御するコンソール４２と、を備えている。
【００４８】
コンソール４２は、ＲＩＳサーバ１４からデータベース１４Ａに含まれる各種情報を取得して後述するＨＤＤ（ハード・ディスク・ドライブ）１１０（図６も参照。）に記憶し、当該情報に基づいて、電子カセッテ３２，放射線発生装置３４，および充電装置４０の制御を行う。
【００４９】
図２には、本実施の形態に係る撮影システム１８の放射線撮影室４４における各装置の配置状態の一例が示されている。
【００５０】
同図に示すように、放射線撮影室４４には、立位での放射線撮影を行う際に用いられるラック４５と、臥位での放射線撮影を行う際に用いられるベッド４６とが設置されており、ラック４５の前方空間は立位での放射線撮影を行う際の被検者の撮影位置４８とされ、ベッド４６の上方空間は臥位での放射線撮影を行う際の被検者の撮影位置５０とされている。
【００５１】
ラック４５には電子カセッテ３２を保持する保持部１５０が設けられており、立位での放射線画像の撮影を行う際には、電子カセッテ３２が保持部１５０に保持される。同様に、ベッド４６には電子カセッテ３２を保持する保持部１５２が設けられており、臥位での放射線画像の撮影を行う際には、電子カセッテ３２が保持部１５２に保持される。
【００５２】
また、保持部１５０には、被検者が撮影位置４８に存在するか否かを検出するための人検出部１４０Ａが設けられており、ベッド４６には、被検者が撮影位置５０に存在するか否かを検出するための人検出部１４０Ｂが設けられている。なお、本実施の形態に係る撮影システム１８では、人検出部１４０Ａおよび人検出部１４０Ｂともに、放射線画像の撮影時に電子カセッテ３２が配置される位置の近傍に設けられており、被検者の検出対象とする領域が電子カセッテ３２による撮影領域に略一致するように検出感度の調整および位置決めが行われている。
【００５３】
また、放射線撮影室４４には、単一の放射線源１３０からの放射線によって立位での放射線撮影も臥位での放射線撮影も可能とするために、放射線源１３０を、水平な軸回り（図２の矢印Ａ方向）に回動可能で、鉛直方向（図２の矢印Ｂ方向）に移動可能で、さらに水平方向（図２の矢印Ｃ方向）に移動可能に支持する支持移動機構５２が設けられている。ここで、支持移動機構５２は、放射線源１３０を水平な軸回りに回動させる駆動源と、放射線源１３０を鉛直方向に移動させる駆動源と、放射線源１３０を水平方向に移動させる駆動源を各々備えている（何れも図示省略。）。
【００５４】
ところで、本実施の形態に係る放射線撮影室４４は、以上のようなラック４５、ベッド４６、支持移動機構５２、放射線源１３０等が設けられ、実際に放射線撮影が行われる領域（以下、「撮影領域」と称する。）とは別に、当該放射線撮影室４４の外側（建物内の通路側）に面した位置に受付窓口が設けられ、かつ上記撮影領域とは放射線Ｘの進入を抑制することのできる隔壁および扉で仕切られると共に、上記撮影領域を目視することができる位置に放射線Ｘの通過量を低減することのできる窓が設けられた撮影管理室（図示省略。）が設けられている。
【００５５】
本実施の形態に係る撮影システム１８では、充電装置４０およびコンソール４２が上記撮影管理室に設けられており、当該撮影管理室にて当該撮影管理室が設けられた放射線撮影室４４において放射線撮影を行う患者の受け付けを行う。
【００５６】
また、本実施の形態に係る撮影システム１８では、放射線発生装置３４とコンソール４２との間、電子カセッテ３２とコンソール４２との間、および人検出部１４０Ａおよび人検出部１４０Ｂとコンソール４２との間で、無線通信によって各種情報の送受信を行う。
【００５７】
なお、電子カセッテ３２は、放射線撮影室や手術室のみで使用されるものではなく、その可搬性から、例えば、検診や病院内での回診等にも使用することができる。
【００５８】
図３には、本実施の形態に係る電子カセッテ３２の内部構成が示されている。
【００５９】
同図に示すように、電子カセッテ３２は、放射線Ｘを透過させる材料からなる筐体５４を備えており、防水性、密閉性を有する構造とされている。電子カセッテ３２は、手術室等で使用されるとき、血液やその他の雑菌が付着するおそれがある。そこで、電子カセッテ３２を防水性、密閉性を有する構造として、必要に応じて殺菌洗浄することにより、１つの電子カセッテ３２を繰り返し続けて使用することができる。
【００６０】
筐体５４の内部には、放射線Ｘが照射される筐体５４の照射面５６側から、被検者による放射線Ｘの散乱線を除去するグリッド５８、被検者を透過した放射線Ｘを検出する放射線検出器６０、および放射線Ｘのバック散乱線を吸収する鉛板６２が順に配設されている。なお、筐体５４の照射面５６をグリッド５８として構成してもよい。
【００６１】
また、筐体５４の内部の一端側には、マイクロコンピュータを含む電子回路、および充電可能で、かつ着脱可能な電源装置９６を収容するケース３１が配置されている。放射線検出器６０および電子回路は、ケース３１に配置された電源装置９６から供給される電力によって作動する。ケース３１内部に収容された各種回路が放射線Ｘの照射に伴って損傷することを回避するため、ケース３１の照射面５６側には鉛板等を配設しておくことが望ましい。なお、本実施の形態に係る電子カセッテ３２は、照射面５６の形状が長方形とされた直方体とされており、その長手方向一端部にケース３１が配置されている。
【００６２】
また、筐体５４の外壁の所定位置には、電源スイッチ５４Ａと、当該電源スイッチ５４Ａのオン・オフの状態（投入状態）、‘レディ状態’，‘データ送信中’といった動作モード、電源装置９６の残容量の状態等の電子カセッテ３２の動作状態を示す表示を行う表示部５６Ａとが設けられている。なお、本実施の形態に係る電子カセッテ３２では、表示部５６Ａとして、発光ダイオードを適用しているが、これに限らず、発光ダイオード以外の発光素子や、液晶ディスプレイ、有機ＥＬディスプレイ等の他の表示手段としてもよい。
【００６３】
さらに、筐体５４の外壁の所定位置には、電子カセッテ３２を移動させる際に把持される把手５４Ｂが設けられている。なお、本実施の形態に係る電子カセッテ３２では、把手５４Ｂが筐体５４における照射面５６の長手方向に延設された側壁の中央部に設けられているが、これに限らず、例えば、照射面５６の短手方向に延設された側壁の中央部、これら側壁の中央部より電子カセッテ３２の重心位置の偏りを考慮した距離だけ偏倚した位置等、他の位置に設けてもよいことは言うまでもない。
【００６４】
本実施の形態に係る撮影システム１８では、各々放射線画像の各撮影部位の広さに対応した寸法とされた複数の電子カセッテ３２が用意されており、撮影部位によって使い分けられる。
【００６５】
なお、本実施の形態に係る撮影システム１８では、上記複数の電子カセッテ３２として、胸部、腹部、腰部等の比較的広い範囲の撮影を行う大型の電子カセッテ３２と、腕部、脚部等の比較的狭い範囲の撮影を行う小型の電子カセッテ３２との２種類の電子カセッテ３２が適用されているが、これに限らず、撮影部位の広さや用途等に応じて３種類以上の電子カセッテ３２を適用する形態や、１種類のみの電子カセッテ３２を適用する形態としてもよい。
【００６６】
ここで、上記大型の電子カセッテ３２および上記小型の電子カセッテ３２には、各々に対応する電源装置９６が用意されており、対応する電子カセッテ３２による消費電力に対応し、かつ電子カセッテ３２の可搬性を損なわないようにするために、その寸法が大型の電子カセッテ用の電源装置９６は大型とされており、小型の電子カセッテ用の電源装置９６は小型とされている。
【００６７】
一方、図４には、本実施の形態に係る充電装置４０の構成が示されている。
【００６８】
充電装置４０は、上記大型の電源装置９６および上記小型の電源装置９６の２種類の電源装置を充電することができるものとされており、これらの電源装置９６を着脱するための開口４０Ｅが上部に設けられている。なお、同図に示されるように、本実施の形態に係る充電装置４０は、２つの大型の電源装置９６と１つの小型の電源装置９６を同時に充電することができるものとされているが、これに限らず、同時に充電可能な電源装置９６の種類および数の組み合わせは他の組み合わせでもよいことは言うまでもない。
【００６９】
本実施の形態に係る充電装置４０の内部底面には、開口４０Ｅから挿入された電源装置９６に電気的に接続するコネクタ（図示省略。）が設けられており、挿入された電源装置９６は当該コネクタに電気的に接続された状態で充電される。
【００７０】
また、充電装置４０の内部側壁には、挿入された電源装置９６を個別に所定の充電位置（同図に示される位置）に位置決めして固定（ロック）するロック機構４０Ｂ（同図では図示省略。図６参照。）が設けられている。
【００７１】
さらに、充電装置４０の外部側壁（筐体表面）における、各電源装置９６の装着位置に対応する位置には、対応する電源装置９６の充電量や使用の可否等を表示するための表示部４０Ａが設けられている。なお、本実施の形態に係る充電装置４０では、表示部４０Ａとして、発光ダイオードを適用しているが、これに限らず、発光ダイオード以外の発光素子や、液晶ディスプレイ、有機ＥＬディスプレイ等の他の表示手段としてもよい。
【００７２】
本実施の形態に係る電子カセッテ３２は、対応する電源装置９６が装着された状態における放射線画像の撮影可能枚数の上限値（本実施の形態では、６枚）が予め定められており、充電装置４０の表示部４０Ａには、当該撮影可能枚数と同数の発光ダイオードが設けられている。そして、電源装置９６の充電を行う際には、対応する電源装置９６の充電量に応じた数、すなわち、その時点で対応する電子カセッテ３２に装着した場合に当該電子カセッテ３２で撮影できる枚数と同数の発光ダイオードを点灯する。従って、ユーザは、表示部４０Ａを参照することにより、充電している電源装置９６の充電量を、電子カセッテ３２に装着した場合の撮影可能枚数を示す状態で把握することができる。なお、図４では、左端の電源装置９６が３枚の放射線画像を撮影可能であり、中央の電源装置９６が５枚の放射線画像を撮影可能であり、右端の電源装置９６が１枚のみの放射線画像を撮影可能である状態が示されている。
【００７３】
また、充電装置４０は、商用電源から給電を受ける給電部４０Ｆ（同図では図示省略。図６参照。）が設けられており、当該給電部４０Ｆは、商用電源の電力線を介した病院内ネットワーク１６との通信を行う通信ポート（例えば、ＰｏＥ（Power over Ethernet(登録商標)）による通信ポート）を有する。この通信ポートを経由する情報は、後述するメモリアクセス部４０Ｄ（同図では図示省略。図６参照。）との間でやり取りされる。
【００７４】
なお、同図に示されるように、各電源装置９６には、充電装置４０から取り外す際に指の爪をかけるための凹部９６Ｃが設けられており、その取り外し作業の容易化が図られている。
【００７５】
図５（Ａ）に示されるように、本実施の形態に係る電子カセッテ３２は、筐体５４の外壁の端部近傍に電源装置９６を装着するための開口３２Ａが設けられており、さらに開口３２Ａの内部の最深部に、電源装置９６を電源装置９６の挿入方向（同図矢印Ａ方向）とは逆方向に付勢する付勢部材３２Ｂが設けられている。なお、本実施の形態に係る電子カセッテ３２では、付勢部材３２Ｂとしてスプリング・バネを適用しているが、これに限らず、板バネ、ソレノイド等の他の付勢部材を適用してもよい。
【００７６】
また、本実施の形態に係る電子カセッテ３２の上記最深部には、開口３２Ａから挿入された電源装置９６に電気的に接続するコネクタ（図示省略。）が設けられており、挿入された電源装置９６は当該コネクタに電気的に接続された状態で電子カセッテ３２の各電力駆動部に対して駆動用の電力を供給する。
【００７７】
また、本実施の形態に係る電子カセッテ３２の開口３２Ａの内部側壁側には、挿入された電源装置９６を上記コネクタに電気的に接続する位置で固定する固定部材３２Ｃが設けられている。なお、本実施の形態に係る電子カセッテ３２では、固定部材３２Ｃとしてソレノイドを適用しているが、これに限らず、電源装置９６を固定することができる他の固定部材を適用してもよいことも言うまでもない。
【００７８】
本実施の形態に係る電子カセッテ３２では、図５（Ａ）に示されるように、電源装置９６が開口３２Ａに対して同図矢印Ａ方向に挿入されると、電源装置９６が上記コネクタに電気的に接続する位置に位置された時点で、ソレノイドにより構成された固定部材３２Ｃのプランジャが突出されて電源装置９６の側面を押圧することにより電源装置９６が固定される。そして、撮影が終了した際には、図５（Ｂ）に示されるように、固定部材３２Ｃのプランジャが引込むことにより、付勢部材３２Ｂによる付勢力により電源装置９６が同図矢印Ｂ方向に押圧されて電源装置９６の一部が電子カセッテ３２から突出された状態となる。従って、ユーザは、凹部９６Ｃに指の爪をかけて引き出すことによって電源装置９６を電子カセッテ３２から容易に取り外すことができる。
【００７９】
次に、図６を参照して、本実施の形態に係る撮影システム１８の電気系の要部構成について説明する。
【００８０】
同図に示すように、電子カセッテ３２に内蔵された放射線検出器６０は、ＴＦＴアクティブマトリクス基板６６上に、放射線Ｘを吸収し、電荷に変換する光電変換層が積層されて構成されている。光電変換層は例えばセレンを主成分（例えば含有率５０％以上）とする非晶質のａ−Ｓｅ（アモルファスセレン）からなり、放射線Ｘが照射されると、照射された放射線量に応じた電荷量の電荷（電子−正孔の対）を内部で発生することで、照射された放射線Ｘを電荷へ変換する。なお、放射線検出器６０は、アモルファスセレンのような放射線Ｘを直接的に電荷に変換する放射線−電荷変換材料の代わりに、蛍光体材料と光電変換素子（フォトダイオード）を用いて間接的に電荷に変換してもよい。蛍光体材料としては、ガドリニウム硫酸化物（ＧＯＳ）やヨウ化セシウム（ＣｓＩ）がよく知られている。この場合、蛍光体材料によって放射線Ｘ−光変換を行い、光電変換素子のフォトダイオードによって光−電荷変換を行う。
【００８１】
また、ＴＦＴアクティブマトリクス基板６６上には、光電変換層で発生された電荷を蓄積する蓄積容量６８と、蓄積容量６８に蓄積された電荷を読み出すためのＴＦＴ７０を備えた画素部７４（図６では個々の画素部７４に対応する光電変換層を光電変換部７２として模式的に示している。）がマトリクス状に多数個配置されており、電子カセッテ３２への放射線Ｘの照射に伴って光電変換層で発生された電荷は、個々の画素部７４の蓄積容量６８に蓄積される。これにより、電子カセッテ３２に照射された放射線Ｘに担持されていた画像情報は電荷情報へ変換されて放射線検出器６０に保持される。
【００８２】
また、ＴＦＴアクティブマトリクス基板６６には、一定方向（行方向）に延設され、個々の画素部７４のＴＦＴ７０をオン・オフさせるための複数本のゲート配線７６と、ゲート配線７６と直交する方向（列方向）に延設され、オンされたＴＦＴ７０を介して蓄積容量６８から蓄積電荷を読み出すための複数本のデータ配線７８が設けられている。個々のゲート配線７６はゲート線ドライバ８０に接続されており、個々のデータ配線７８は信号処理部８２に接続されている。個々の画素部７４の蓄積容量６８に電荷が蓄積されると、個々の画素部７４のＴＦＴ７０は、ゲート線ドライバ８０からゲート配線７６を介して供給される信号により行単位で順にオンされ、ＴＦＴ７０がオンされた画素部７４の蓄積容量６８に蓄積されている電荷は、アナログの電気信号としてデータ配線７８を伝送されて信号処理部８２に入力される。従って、個々の画素部７４の蓄積容量６８に蓄積されている電荷は行単位で順に読み出される。
【００８３】
一方、信号処理部８２は、個々のデータ配線７８毎に設けられた増幅器およびサンプルホールド回路を備えており、個々のデータ配線７８を伝送された電荷信号は増幅器で増幅された後にサンプルホールド回路に保持される。また、サンプルホールド回路の出力側にはマルチプレクサ、Ａ／Ｄ（アナログ／デジタル）変換器が順に接続されており、個々のサンプルホールド回路に保持された電荷信号はマルチプレクサに順に（シリアルに）入力され、Ａ／Ｄ変換器によってデジタルの画像データへ変換される。
【００８４】
信号処理部８２には画像メモリ９０が接続されており、信号処理部８２のＡ／Ｄ変換器から出力された画像データは画像メモリ９０に順に記憶される。画像メモリ９０は複数フレーム分の画像データを記憶可能な記憶容量を有しており、放射線画像の撮影が行われる毎に、撮影によって得られた画像データが画像メモリ９０に順次記憶される。
【００８５】
画像メモリ９０は電子カセッテ３２全体の動作を制御するカセッテ制御部９２と接続されている。カセッテ制御部９２はマイクロコンピュータを含んで構成されており、ＣＰＵ（中央処理装置）９２Ａ、ＲＯＭ（Read Only Memory）およびＲＡＭ（Random Access Memory）を含むメモリ９２Ｂ、ＨＤＤ（ハードディスク・ドライブ）やフラッシュメモリ等からなる不揮発性の記憶部９２Ｃを備えている。
【００８６】
また、カセッテ制御部９２には無線通信部９４が接続されている。本実施の形態に係る無線通信部９４は、ＩＥＥＥ（Institute of Electrical and Electronics Engineers）８０２．１１ａ／ｂ／ｇ等に代表される無線ＬＡＮ（Local Area Network）規格に対応しており、無線通信による外部機器との間での各種情報の伝送を制御する。カセッテ制御部９２は、無線通信部９４を介してコンソール４２と無線通信が可能とされており、コンソール４２との間で各種情報の送受信が可能とされている。
【００８７】
また、カセッテ制御部９２には、電源装置９６が固定部材３２Ｃ（図５も参照。）により固定されている状態で接続される。
【００８８】
本実施の形態に係る電源装置９６は、電子カセッテ３２の各電力駆動部に対して駆動用の電力を供給する、充電可能に構成された二次電池（以下、「電池」と称する。）９６Ａと、撮影によって得られた画像データや、後述する被検者情報等の各種情報を記憶するためのメモリ９６Ｂが備えられている。なお、本実施の形態に係る電源装置９６では、上記メモリ９６Ｂとして不揮発性で書き換え可能なメモリ（本実施の形態では、フラッシュ・メモリ）が適用されているが、これに限らず、ＲＡＭ等の揮発性のメモリを適用すると共に電池９６Ａをメモリ９６Ｂのバック・アップ電源として用いる形態としてもよい。また、本実施の形態に係る電源装置９６では、上記電池９６Ａとしてニッケル・カドミウム電池が適用されているが、これに限らず、ニッケル水素電池、リチウム・イオン電池等の他の二次電池を適用する形態としてもよい。
【００８９】
本実施の形態に係る電子カセッテ３２の上述した各種回路や各素子（ゲート線ドライバ８０、信号処理部８２、画像メモリ９０、無線通信部９４や、カセッテ制御部９２等）は、電源装置９６が装着された状態で、当該電源装置９６の電池９６Ａから供給された電力によって作動する。また、カセッテ制御部９２は、電源装置９６が装着された状態で、当該電源装置９６のメモリ９６Ｂへのアクセスができる。なお、図６では、電源装置９６と各種回路や各素子を接続する配線の図示を省略している。
【００９０】
ここで、本実施の形態に係る電子カセッテ３２および電源装置９６は、バッテリ・ホット・スワップ機能を有するものとして構成されている。なお、バッテリ・ホット・スワップ機能については周知であるので、ここでの詳細な説明は省略する。
【００９１】
一方、コンソール４２は、サーバ・コンピュータとして構成されており、操作メニューや撮影された放射線画像等を表示するディスプレイ１００と、複数のキーを含んで構成され、各種の情報や操作指示が入力される操作パネル１０２と、を備えている。
【００９２】
また、本実施の形態に係るコンソール４２は、装置全体の動作を司るＣＰＵ１０４と、制御プログラムを含む各種プログラム等が予め記憶されたＲＯＭ１０６と、各種データを一時的に記憶するＲＡＭ１０８と、各種データを記憶して保持するＨＤＤ１１０と、ディスプレイ１００への各種情報の表示を制御するディスプレイドライバ１１２と、操作パネル１０２に対する操作状態を検出する操作入力検出部１１４と、を備えている。また、コンソール４２は、無線通信により、放射線発生装置３４との間で後述する曝射条件等の各種情報の送受信を行うと共に、電子カセッテ３２との間で画像データ等の各種情報の送受信を行い、かつ人検出部１４０Ａおよび人検出部１４０Ｂとの間で検出結果を示す情報等の送受信を行う無線通信部１１８と、充電装置４０の作動を制御する充電装置制御部１２０と、を備えている。
【００９３】
ＣＰＵ１０４、ＲＯＭ１０６、ＲＡＭ１０８、ＨＤＤ１１０、ディスプレイドライバ１１２、操作入力検出部１１４、無線通信部１１８、および充電装置制御部１２０は、システムバスＢＵＳを介して相互に接続されている。従って、ＣＰＵ１０４は、ＲＯＭ１０６、ＲＡＭ１０８、ＨＤＤ１１０へのアクセスを行うことができると共に、ディスプレイドライバ１１２を介したディスプレイ１００への各種情報の表示の制御、および無線通信部１１８を介した放射線発生装置３４，電子カセッテ３２，人検出部１４０Ａ，人検出部１４０Ｂとの各種情報の送受信の制御を各々行うことができる。また、ＣＰＵ１０４は、操作入力検出部１１４を介して操作パネル１０２に対するユーザの操作状態を把握することができる。
【００９４】
一方、充電装置制御部１２０は、通信ケーブル２０を介して充電装置４０と接続されており、ＣＰＵ１０４は、充電装置制御部１２０を介して、充電装置４０における表示部４０Ａ、ロック機構４０Ｂ等の各部の作動の制御を行うことができる。
【００９５】
本実施の形態に係る充電装置４０は、装着された電源装置９６に設けられている電池９６Ａへの充電を行う充電部４０Ｃを備えており、当該電池９６Ａへの充電の制御は、ＣＰＵ１０４により充電装置制御部１２０および充電部４０Ｃを介して行われる。
【００９６】
また、本実施の形態に係る充電装置４０は、装着された電源装置９６に設けられているメモリ９６Ｂへのアクセスを行うメモリアクセス部（以下、「アクセス部」と称する。）４０Ｄが備えられており、当該メモリ９６Ｂへのアクセスの制御は、ＣＰＵ１０４により充電装置制御部１２０およびアクセス部４０Ｄを介して行われる。
【００９７】
一方、放射線発生装置３４は、放射線源１３０と、コンソール４２との間で曝射条件等の各種情報を送受信する無線通信部１３２と、受信した曝射条件に基づいて放射線源１３０を制御する線源制御部１３４と、を備えている。
【００９８】
線源制御部１３４もマイクロコンピュータを含んで構成されており、受信した曝射条件等を記憶する。このコンソール４２から受信する曝射条件には管電圧、管電流、曝射期間等の情報が含まれている。線源制御部１３４は、受信した曝射条件に基づいて放射線源１３０から放射線Ｘを照射させる。
【００９９】
また、人検出部１４０Ａおよび人検出部１４０Ｂは、人が存在するか否かを検出するための人検出センサ１４２と、人検出センサ１４２による検出結果を示す情報をコンソール４２に送信する無線通信部１４４と、を備えている。
【０１００】
本実施の形態に係る人検出部１４０Ａおよび人検出部１４０Ｂでは、上記人検出センサ１４２として、自身の設置位置から最も近接している物体までの距離を検出する距離センサを適用しているが、これに限らず、人が存在するか否かを検出することができるセンサであれば、他のセンサを適用してもよいことは言うまでもない。また、本実施の形態に係る撮影システム１８では、人検出センサ１４２として、超音波を射出してから他の物体より反射してくるまでの期間を示す信号（以下、「期間信号」と称する。）を出力するものを適用している。従って、本実施の形態に係る人検出部１４０Ａおよび人検出部１４０Ｂでは、人検出センサ１４２から出力された期間信号によって示される期間を示す情報（以下、「期間情報」と称する。）を、無線通信部１４４を介してコンソール４２に送信する。
【０１０１】
なお、人検出センサ１４２としては、このような超音波型のものに限らず、光を用いて距離を検出するセンサ、赤外線を用いて距離を検出するセンサ等、他の測距可能なセンサを適用してもよいことは言うまでもない。
【０１０２】
ところで、本実施の形態に係る撮影システム１８では、前述したように、各放射線撮影室４４に設けられた撮影管理室にて、当該放射線撮影室４４において放射線撮影を行う患者の受け付けを行う。そして、各放射線撮影室４４では、自室において放射線撮影を行う患者に関する情報を撮影オーダ情報として保持し、当該撮影オーダ情報に基づいて各患者の放射線撮影を行う。
【０１０３】
このため、各放射線撮影室４４の撮影管理室に設けられているコンソール４２は、ＲＩＳサーバ１４からデータベース１４Ａに含まれる上記患者情報および上記撮影メニューを取得して撮影オーダ情報としてＨＤＤ１１０に記憶し、当該撮影オーダ情報に基づいて、電子カセッテ３２，放射線発生装置３４，および充電装置４０の制御を行う。
【０１０４】
図７には、本実施の形態に係る撮影オーダ情報が模式的に示されている。
【０１０５】
同図に示されるように、本実施の形態に係る撮影オーダ情報は、前述した氏名、ＩＤ、性別等といった、撮影が予定されている患者に関する患者情報、および前述した撮影部位、使用カセッテ、撮影枚数、姿勢等といった、対応する患者の放射線撮影に関する撮影メニューが組み合わされた状態で構成されている。
【０１０６】
同図に示される撮影オーダ情報では、例えば、「山田太郎」のＩＤが「０１−００１」で性別が「男」であり、撮影部位が「腕部」で撮影の際に使用する電子カセッテ３２が小型のものであり、撮影枚数が４枚で撮影時における患者の姿勢が「立位」であることを示す情報が記憶されている。
【０１０７】
次に、本実施の形態に係る撮影システム１８の作用を説明する。なお、ここでは、錯綜を回避するために、上記撮影オーダ情報がコンソール４２のＨＤＤ１１０に記憶されている場合について説明する。
【０１０８】
まず、放射線撮影を行う患者（以下、「被検者」と称する。）は、自身が撮影を行う放射線撮影室４４の撮影管理室における受付窓口において受け付けを行う。
【０１０９】
これに応じて上記受付窓口の受付担当者は、撮影管理室に設けられたコンソール４２に対して、受け付けた被検者を示す情報（本実施の形態では、被検者の氏名）を、操作パネル１０２を介して入力した後、電源装置受け渡し処理の実行指示を、操作パネル１０２を介して入力する。
【０１１０】
次に、図８を参照して、電源装置受け渡し処理を実行する際のコンソール４２の作用を説明する。なお、図８は、この際にコンソール４２のＣＰＵ１０４によって実行される電源装置受け渡し処理プログラムの処理の流れを示すフローチャートであり、当該プログラムはＲＯＭ１０６の所定領域に予め記憶されている。
【０１１１】
同図のステップ２００では、接続されている充電装置４０に対し、装着されている全ての電源装置９６に対応するロック機構４０Ｂに対して、対応する電源装置９６を固定（ロック）するように充電装置制御部１２０を介して制御する。この処理により、充電装置４０に装着されている全ての電源装置９６が充電装置４０から取り外せなくなる。
【０１１２】
次のステップ２０２では、撮影オーダ情報（図７も参照。）における上記受付窓口において受け付けた被検者に関する情報（以下、「被検者情報」と称する。）をＨＤＤ１１０から読み出し、次のステップ２０４にて、充電装置４０に装着されている全ての電源装置９６の充電量を充電装置制御部１２０および充電部４０Ｃを介して検出する。
【０１１３】
次のステップ２０６では、上記ステップ２０２の処理によって読み出した被検者情報に基づいて、被検者の放射線撮影に用いる電子カセッテ３２に対応する電源装置９６を特定し、上記ステップ２０４の処理によって取得した電源装置９６の充電量および上記被検者情報に基づいて、充電装置４０に被検者の放射線撮影に使用することのできる電源装置９６（以下、「使用可能電源装置」と称する。）が存在するか否かを判定し、否定判定となった場合はステップ２０８に移行して、ディスプレイ１００により、使用できる電源装置９６がなく、待機するように指示する旨を示す情報を表示させるようにディスプレイドライバ１１２を制御し、その後に上記ステップ２０６に戻る一方、肯定判定となった時点でステップ２１０に移行する。
【０１１４】
なお、電子カセッテ３２の種類別に使用できる電源装置９６の種類は予め定められている（本実施の形態では、大型の電子カセッテ３２では大型の電源装置９６で、小型の電子カセッテ３２では小型の電源装置９６）ため、コンソール４２は、上記被検者情報に含まれる撮影メニューにおける「使用カセッテ」を参照することにより、当該「使用カセッテ」により示される、被検者の放射線撮影に用いる電子カセッテ３２に対応する電源装置９６を一意に特定することができる。
【０１１５】
また、充電装置４０に使用可能電源装置が存在するか否かの判定は、上記特定した電源装置９６と同一種類の電源装置９６が充電装置４０に装着されており、かつ当該電源装置９６の充電量が、被検者情報に含まれる撮影メニューにおける「撮影枚数」により示される撮影枚数の放射線撮影が行える量に達しているか否かを判定することにより行うことができる。
【０１１６】
ステップ２１０では、充電装置４０に対し、使用可能電源装置に対応するロック機構４０Ｂに対して、対応する電源装置９６のロック状態を解除するように充電装置制御部１２０を介して制御する。この処理により、使用可能電源装置のみが充電装置４０から取り外すことができるようになる。
【０１１７】
次のステップ２１２では、充電装置４０の表示部４０Ａにおける使用可能電源装置に対応する部分のみ、発光状態を他の部分とは異なる状態（本実施の形態では、点滅状態）となるように充電装置制御部１２０を介して制御し、その後に本電源装置受け渡し処理プログラムを終了する。
【０１１８】
上記受付担当者は、充電装置４０における表示部４０Ａの表示状態によって使用可能であることが示されている使用可能電源装置を充電装置４０から取り外して、被検者に渡す。
【０１１９】
被検者は、受付担当者から渡された使用可能電源装置を持参して放射線撮影室４４に入室し、当該放射線撮影室４４に待機している放射線撮影を行う放射線技師または医師（以下、「撮影者」と称する。）に渡す。
【０１２０】
撮影者は、被検者から渡された使用可能電源装置を対応する電子カセッテ３２に装着する。これに応じて、電子カセッテ３２は、被検者情報書込処理を実行する。
【０１２１】
次に、図９を参照して、被検者情報書込処理を実行する際の電子カセッテ３２の作用を説明する。なお、図９は、この際に電子カセッテ３２のＣＰＵ９２Ａによって実行される被検者情報書込処理プログラムの処理の流れを示すフローチャートであり、当該プログラムは記憶部９２Ｃの所定領域に予め記憶されている。
【０１２２】
同図のステップ３００では、コンソール４２に対して被検者情報の送信を指示する指示情報を、無線通信部９４を介して送信する。これに応じて、コンソール４２は、直前の電源装置受け渡し処理プログラムの実行時に読み出した被検者情報を電子カセッテ３２に無線通信部１１８を介して送信する。
【０１２３】
そこで、次のステップ３０２では、被検者情報の受信待ちを行い、次のステップ３０４にて、受信した被検者情報を、装着されている電源装置９６に内蔵されたメモリ９６Ｂの予め定められた領域に記憶した後、本被検者情報書込処理プログラムを終了する。
【０１２４】
一方、使用可能電源装置を電子カセッテ３２に装着すると、撮影者は、コンソール４２の操作パネル１０２を介して被検者を示す情報を入力することにより、コンソール４２のＨＤＤ１１０に記憶されている撮影オーダ情報に含まれる、被検者に関する撮影メニューをディスプレイ１００により表示させ、当該撮影メニューから把握される被検者の撮影部位や撮影枚数等の撮影条件に応じて、コンソール４２の操作パネル１０２を介して放射線Ｘを曝射する際の管電圧、管電流、および曝射期間を指定する曝射条件指定操作を行う。これに応じて、コンソール４２は、放射線画像撮影処理を実行する。
【０１２５】
次に、図１０を参照して、放射線画像撮影処理を実行する際のコンソール４２の作用を説明する。なお、図１０は、この際にコンソール４２のＣＰＵ１０４によって実行される放射線画像撮影処理プログラムの処理の流れを示すフローチャートであり、当該プログラムもＲＯＭ１０６の所定領域に予め記憶されている。
【０１２６】
同図のステップ４００では、一例として図１４に示すように、撮影者により指定された曝射条件に基づいて、放射線検出器６０により電荷蓄積を開始する時点を基準とした放射線Ｘの曝射が終了する時点（以下、「曝射終了時点」と称する。）を推定する。
【０１２７】
なお、本実施の形態に係る撮影システム１８では、上記曝射終了時点を、電子カセッテ３２において後述するステップ４２０の処理に応じて放射線検出器６０による電荷蓄積を開始する時点と、放射線発生装置３４において後述するステップ４２２の処理によって放射線Ｘの曝射の開始が指示された時点から実際に曝射が開始されるまでの期間（図１４における‘タイムラグ’の期間）と、により予め定められている、放射線検出器６０による電荷蓄積を開始してから放射線Ｘの曝射が実際に開始されるまでの期間に、上記曝射条件指定操作において指定された曝射期間を加算することにより推定している。
【０１２８】
次のステップ４０２では、撮影メニューにおける、上記曝射条件指定操作が行われる際に撮影者によって入力された被検者を示す情報に対応する撮影部位を特定し、当該撮影部位に応じて予め定められている、放射線検出器６０における電荷蓄積期間（以下、「適用電荷蓄積期間」と称する。）内に上記ステップ４００の処理によって推定した曝射終了時点が収まるか否かを判定し、否定判定となった場合はステップ４０４に移行して、予め定められた警告処理を実行した後に、本放射線画像撮影処理プログラムを終了する。
【０１２９】
なお、本実施の形態に係る撮影システム１８では、上記ステップ４０４において実行される警告処理として、一例として図１１に示される警告画面をディスプレイ１００により表示させるようにディスプレイドライバ１１２を制御する処理を適用しているが、これに限らず、予め定められた警告音を発する処理等の他の警告処理を単独、または組み合わせて適用する形態としてもよい。
【０１３０】
一方、上記ステップ４０２において肯定判定となった場合はステップ４０６に移行し、上記ステップ４０２の処理によって特定した撮影部位に基づいて特定される撮影条件が、人検出センサ１４２を用いる場合の条件として予め定められた第１の条件であるか否かを判定することにより、人検出センサ１４２を用いるか否かを判定し、否定判定となった場合は後述するステップ４１４に移行する一方、肯定判定となった場合にはステップ４０８に移行する。
【０１３１】
なお、本実施の形態に係る撮影システム１８では、上記第１の条件として、撮影部位が四肢の一部（手首、足首、掌等）等といった、放射線検出器６０による撮影領域に比較して面積が小さい部位が撮影部位ではない、という条件を適用しているが、これに限らず、人検出センサ１４２にて要求される検出精度が得られる場合に対応する他の条件を適用する形態としてもよい。
【０１３２】
一方、撮影者は、上記曝射条件指定操作が終了すると、ディスプレイ１００に上記警告画面が表示されない場合には、上記曝射条件指定操作を行う際にディスプレイ１００に表示された被検者に関する撮影メニューにより示される被検者の姿勢（臥位または立位）に応じて、電子カセッテ３２をベッド４６に設けられた保持部１５２に保持させた後、被検者をベッド４６の上方空間の撮影位置５０に臥位で位置させるか、または電子カセッテ３２をラック４５の保持部１５０に保持させた後、被検者をラック４５の前方空間における撮影位置４８に立たせる。
【０１３３】
次いで撮影者は、撮影部位の前方に放射線発生装置３４の放射線源１３０を配置するように支持移動機構５２を操作する。
【０１３４】
そこで、ステップ４０８では、撮影メニューにおける、上記曝射条件指定操作が行われる際に撮影者によって入力された被検者を示す情報に対応する撮影時の姿勢を特定し、当該撮影時の姿勢に基づいて、放射線画像の撮影にラック４５およびベッド４６の何れを使用するのかを特定し、特定したものに設けられている人検出部１４０Ａまたは人検出部１４０Ｂ（以下、「使用対象人検出部１４０」と称する。）から受信されている期間情報によって示される期間により示される使用対象人検出部１４０から検出対象物までの距離（以下、「検出距離」と称する。）が、電子カセッテ３２の撮影領域に被検者が存在する場合の距離の範囲として予め定められた範囲内となるまで待機することにより、放射線画像の撮影対象とする領域に被検者が位置されるまで待機する。
【０１３５】
次のステップ４１０では、被検者が、被検者の静止を検出する条件として予め定められた第２の条件に合致するか否かを判定し、否定判定となった場合は後述するステップ４１４に移行する一方、肯定判定となった場合にはステップ４１２に移行する。
【０１３６】
なお、本実施の形態に係る撮影システム１８では、上記第２の条件として、被検者が予め定められた年齢（本実施の形態では、５歳）以上である、との条件を適用しているが、これに限らず、被検者が予め定められた年齢（本実施の形態では、７０歳）以下である、との条件等、静止した状態での撮影が容易に行うことのできる他の条件を適用する形態としてもよい。
【０１３７】
ステップ４１２では、上記検出距離が、被検者が静止していると見なすことのできる予め定められた範囲を超えて変化しない期間が、予め定められた期間（本実施の形態では、３秒）以上となったか否かを判定し、否定判定となった場合は上記ステップ４０８に戻る一方、肯定判定となった場合にはステップ４１４に移行する。
【０１３８】
ステップ４１４では、電子カセッテ３２に対して、上記適用電荷蓄積期間と同一の電荷蓄積期間で放射線検出器６０による撮影を実行させることにより、放射線検出器６０による放射線画像の撮影によって得られた画像データ（以下、「被検者画像データ」と称する。）を補正するための画像データ（以下、「オフセット画像データ」と称する。）を取得するオフセット画像取得処理を実行する。
【０１３９】
この際、ＣＰＵ１０４は、オフセット画像取得処理を実行することを指示する指示情報を、上記適用電荷蓄積期間を示す情報と共に電子カセッテ３２へ無線通信部１１８を介して送信する。
【０１４０】
これに応じて、本実施の形態に係る電子カセッテ３２は、この時点で放射線検出器６０において蓄積されている電荷を排出するリセット動作を行った後、受信した適用電荷蓄積期間で放射線検出器６０による撮影を行い、これによって得られたオフセット画像データをコンソール４２へ無線通信部９４を介して送信する。
【０１４１】
なお、この際、本実施の形態に係る電子カセッテ３２では、オフセット画像データを、対応する被検者情報に関連付けてメモリ９６Ｂに記憶する一方、オフセット画像データに対し、情報量が少なくなる予め定められた画像圧縮処理（本実施の形態では、間引き処理）を実行し、これによって得られたオフセット画像データをコンソール４２へ無線通信部９４を介して送信する。
【０１４２】
そこで、ＣＰＵ１０４は、電子カセッテ３２から送信されたオフセット画像データを、無線通信部１１８を介して受信し、ＲＡＭ１０８の所定領域に記憶する。
【０１４３】
次のステップ４１６では、撮影者によって指定された曝射条件を放射線発生装置３４へ無線通信部１１８を介して送信することにより当該曝射条件を設定する。これに応じて線源制御部１３４は、受信した曝射条件での曝射準備を行う。
【０１４４】
次のステップ４１８では、放射線画像の撮影を実施する撮影実施処理の実行開始を指示する指示情報を電子カセッテ３２へ無線通信部１１８を介して送信する。これに応じて、電子カセッテ３２では、後述する撮影実施処理の実行を開始する。
【０１４５】
次のステップ４２０では、曝射開始を指示する指示情報を放射線発生装置３４へ無線通信部１１８を介して送信する。これに応じて、放射線発生装置３４では、放射線源１３０から、上記ステップ４１６の処理に応じてコンソール４２から受信した曝射条件に応じた管電圧、管電流、および曝射期間で放射線Ｘを発生して射出する。これに応じて、電子カセッテ３２では、上記撮影実施処理により、放射線画像の撮影を行い、これによって得られた被検者画像データをコンソール４２へ無線通信部９４を介して送信する。なお、この際、本実施の形態に係る電子カセッテ３２では、上記オフセット画像データと同様に上記画像圧縮処理（本実施の形態では、間引き処理）が施された被検者画像データをコンソール４２へ送信する。
【０１４６】
そこで、次のステップ４２２では、上記被検者画像データが電子カセッテ３２から受信されるまで待機し、次のステップ４２４にて、受信した被検者画像データに対して、上記ステップ４１４の処理によって取得したオフセット画像データを画素毎に減算することによりオフセット補正を行った後、シェーディング補正等の各種の補正を行う画像処理を実行する。
【０１４７】
次のステップ４２６では、上記画像処理が行われた被検者画像データ（以下、「補正画像データ」と称する。）をＨＤＤ１１０に記憶し、次のステップ４２８にて、補正画像データにより示される放射線画像を、確認等を行うためにディスプレイ１００によって表示させるようにディスプレイドライバ１１２を制御し、その後に本放射線画像撮影処理プログラムを終了する。
【０１４８】
次に、図１２を参照して、前述した撮影実施処理を実行する際の電子カセッテ３２の作用を説明する。なお、図１２は、この際に電子カセッテ３２のＣＰＵ９２Ａにより実行される撮影実施処理プログラムの処理の流れを示すフローチャートであり、当該プログラムは記憶部９２Ｃの所定領域に予め記憶されている。
【０１４９】
同図のステップ５００では、放射線検出器６０に対して、前述したリセット動作を行うように制御し、次のステップ５０２では、放射線検出器６０に対して、電荷蓄積を開始するように制御する。
【０１５０】
次のステップ５０４では、オフセット画像取得処理を実行することを指示する指示情報と共に受信した情報によって示される適用電荷蓄積期間の経過待ちを行う。
【０１５１】
次のステップ５０６では、放射線検出器６０に対して、この時点で蓄積されている電荷を読み出すように制御する。これに応じて、放射線検出器６０から上記電荷が電気信号として各データ配線７８に流れ出す。各データ配線７８に流れ出した電気信号は信号処理部８２でデジタルの画像データ（被検者画像データ）に変換されて、画像メモリ９０に記憶される。
【０１５２】
そこで、次のステップ５０８では、画像メモリ９０から被検者画像データを読み出し、対応する被検者情報に関連付けて電源装置９６のメモリ９６Ｂに記憶し、次のステップ５１０にて、読み出した被検者画像データに対して、上記オフセット画像データと同様に上記画像圧縮処理（本実施の形態では、間引き処理）を実行する。
【０１５３】
次のステップ５１２では、上記ステップ５１０の処理によって画像圧縮処理が施された被検者画像データをコンソール４２へ無線通信部９４を介して送信し、その後に本撮影実施処理プログラムを終了する。
【０１５４】
一方、撮影者は、電子カセッテ３２による放射線画像の撮影が終了すると、当該電子カセッテ３２から電源装置９６を取り外し、充電装置４０の空き領域に装着する。これに応じて、コンソール４２は、充電装置４０に対し、装着された電源装置９６に対する充電動作を開始させる充電開始処理を実行する。
【０１５５】
次に、図１３を参照して、充電開始処理を実行する際のコンソール４２の作用を説明する。なお、図１３は、この際にコンソール４２のＣＰＵ１０４によって実行される充電開始処理プログラムの処理の流れを示すフローチャートであり、当該プログラムもＲＯＭ１０６の所定領域に予め記憶されている。
【０１５６】
同図のステップ６００では、充電装置４０に対して新たに装着された電源装置９６（以下、「処理対象電源装置」と称する。）のメモリ９６Ｂに充電装置制御部１２０およびアクセス部４０Ｄを介してアクセスし、被検者画像データが記憶されているか否かを判定して、否定判定となった場合は後述するステップ６１０に移行する一方、肯定判定となった場合にはステップ６０２に移行する。
【０１５７】
ステップ６０２では、処理対象電源装置のメモリ９６Ｂから被検者情報、被検者画像データ、およびオフセット画像データを充電装置制御部１２０およびアクセス部４０Ｄを介して読み出し、次のステップ６０４にて、読み出した被検者画像データに対し、対応するオフセット画像データを画素毎に減算することによりオフセット補正を行った後、シェーディング補正等の各種の補正を行う画像処理を実行する。
【０１５８】
次のステップ６０６では、以上の処理によって得られた被検者画像データおよび被検者情報を、対応するもの同士を関連付けた状態で、ＲＩＳサーバ１４へ病院内ネットワーク１６を介して送信した後、次のステップ６０８にて、処理対象電源装置のメモリ９６Ｂに記憶されている全ての被検者情報、被検者画像データ、およびオフセット画像データを消去するように充電装置制御部１２０およびアクセス部４０Ｄを介して制御する。
【０１５９】
次のステップ６１０では、処理対象電源装置に対する充電動作を開始するように充電装置制御部１２０を介して充電部４０Ｃを制御し、その後に本充電開始処理プログラムを終了する。
【０１６０】
なお、ＲＩＳサーバ１４へ送信された被検者情報および被検者画像データはデータベース１４Ａに格納され、医師が撮影された放射線画像の読影や診断等を行うことが可能となる。
【０１６１】
以上詳細に説明したように、本実施の形態によれば、放射線画像撮影装置（本実施の形態では、電子カセッテ３２）に着脱可能に構成された電源装置（本実施の形態では、電源装置９６）に記憶手段（本実施の形態では、メモリ９６Ｂ）を設け、当該記憶手段に、少なくとも撮影対象者に関する撮影対象情報（本実施の形態では、被検者情報）と前記放射線画像撮影装置による当該撮影対象者に対する撮影によって得られた画像情報（本実施の形態では、被検者画像データ）とを関連付けて記憶しているので、放射線画像撮影装置の可搬性能を損なうことなく、撮影によって得られた画像情報が如何なる撮影によって得られたものであるかを容易に特定することができる。
【０１６２】
また、本実施の形態によれば、前記放射線画像撮影装置が、前記撮影対象情報を無線にて受信しているので、前記撮影対象情報を有線にて受信する場合に比較して、より放射線画像撮影装置の可搬性能を向上させることができる。
【０１６３】
また、本実施の形態によれば、前記放射線画像撮影装置が、前記画像情報に対して情報量が少なくなるように画像処理を行った後に、当該画像処理が行われた前記画像情報を無線にて送信しているので、前記画像情報を有線にて送信する場合に比較して、より放射線画像撮影装置の可搬性能を向上させることができると共に、前記画像情報を、前記画像処理を行わずに送信する場合に比較して、より短時間で画像情報を送信することができる。
【０１６４】
また、本実施の形態によれば、前記撮影対象情報が、前記撮影対象者を特定する特定情報（本実施の形態では、患者情報）を含んでいるので、撮影によって得られた画像情報に対応する撮影対象者を容易に特定することができる。
【０１６５】
特に、本実施の形態によれば、前記撮影対象情報が、前記撮影対象者に対する撮影条件を示す情報（本実施の形態では、撮影メニュー）をさらに含んでいるので、撮影によって得られた画像情報が如何なる撮影条件によって得られたものであるかを容易に特定することができる。
【０１６６】
また、本実施の形態によれば、前記電源装置が装着された状態で当該電源装置の前記電源部に充電する充電手段（本実施の形態では、充電部４０Ｃ）、および前記電源装置が装着された状態で当該電源装置の前記記憶手段から前記撮影対象情報および前記画像情報を読み取る読取手段（本実施の形態では、アクセス部４０Ｄ）を備えた充電装置（本実施の形態では、充電装置４０）をさらに有しているので、前記撮影対象情報および前記画像情報を、前記充電装置を介して上位装置に転送することができるため、当該転送を無線で行う場合に比較して、より確実に当該転送を行うことができる。
【０１６７】
特に、本実施の形態によれば、前記充電装置が、前記電源装置が装着された状態で、当該電源装置の前記電源部の充電状態を示す情報を表示する表示手段（本実施の形態では、表示部４０Ａ）をさらに備えているので、前記電源部の充電状態を容易に把握することができ、ユーザにとっての利便性を、より向上させることができる。
【０１６８】
また、本実施の形態によれば、前記充電装置が、前記電源装置が装着された状態で、当該電源装置の前記電源部の充電が完了していない場合に当該電源装置の脱着を禁止する脱着禁止手段（本実施の形態では、ロック機構４０Ｂ）をさらに備えているので、充電が完了していない電源装置の使用を未然に防止することができる結果、ユーザにとっての利便性を、より向上させることができる。
【０１６９】
また、本実施の形態によれば、前記充電装置が、商用電源の電力線を介して通信を行う通信手段（本実施の形態では、給電部４０Ｆ）をさらに備えているので、充電装置を商用電源電力の供給部（コンセント）を有する如何なる場所にでも設置することができる結果、ユーザにとっての利便性を、より向上させることができる。
【０１７０】
また、本実施の形態によれば、前記放射線画像撮影装置および前記電源装置を、バッテリ・ホット・スワップ機能を有するものとして構成しているので、ユーザにとっての利便性を、より向上させることができる。
【０１７１】
さらに、本実施の形態によれば、前記放射線画像撮影装置を、電子カセッテとしているので、電子カセッテの可搬性能を損なうことなく、撮影によって得られた画像情報が如何なる撮影によって得られたものであるかを容易に特定することができる。
【０１７２】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【０１７３】
また、上記の実施の形態は、クレーム（請求項）にかかる発明を限定するものではなく、また実施の形態の中で説明されている特徴の組み合わせの全てが発明の解決手段に必須であるとは限らない。前述した実施の形態には種々の段階の発明が含まれており、開示される複数の構成要件における適宜の組み合わせにより種々の発明を抽出できる。実施の形態に示される全構成要件から幾つかの構成要件が削除されても、効果が得られる限りにおいて、この幾つかの構成要件が削除された構成が発明として抽出され得る。
【０１７４】
例えば、上記実施の形態では、電源装置受け渡し処理プログラム（図８参照。）、放射線画像撮影処理プログラム（図１０参照。）、充電開始処理プログラム（図１３参照。）の何れもコンソール４２によって実行する場合について説明したが、本発明はこれに限定されるものではなく、例えば、これらの少なくとも１つを充電装置４０において実行する形態としてもよい。この場合、充電装置４０に制御部を設けておき、当該制御部によって上記少なくとも１つのプログラムを実行することになる。この場合も、上記実施の形態と同様の効果を奏することができる。
【０１７５】
また、上記実施の形態では、一例として図１５に示すように、放射線検出器６０による電荷蓄積を開始する直前に単発的にリセット動作を行う場合について説明したが、本発明はこれに限定されるものではなく、例えば、一例として図１６に示すように、放射線検出器６０による電荷蓄積を行うに先立って連続的にリセット動作を行う形態としてもよい。この場合、電荷蓄積を開始する条件（上記実施の形態では、撮影対象領域で人が検出されたとの条件、または撮影対象領域で人が所定期間以上静止したとの条件、または曝射条件指定操作が行われたとの条件）が成立した時点でリセット動作が実行中である場合には、当該リセット動作が終了した時点で放射線検出器６０による電荷蓄積を開始するように制御する。
【０１７６】
また、上記実施の形態では、上記電荷蓄積を開始する条件が成立したことをトリガとすることにより、放射線発生装置３４による放射線Ｘの照射と電子カセッテ３２による撮影動作との同期をとることなく、放射線画像の撮影を行う場合について説明したが、本発明はこれに限定されるものではなく、例えば、電子カセッテ３２において、放射線検出器６０の予め定められた画素による電荷蓄積量が予め定められた閾値より大きくなった場合に放射線発生装置３４による放射線Ｘの照射が開始されたと判断して、撮影動作に移行する形態としてもよい。
【０１７７】
この場合、一例として、本出願人による特願２０１０−１６１９１５に記載されているように、放射線検出器６０における複数の行単位で各画素の蓄積電荷を読み出し、読み出した蓄積電荷の値が予め定められた閾値より大きくなった場合に放射線発生装置３４による放射線Ｘの照射が開始されたと判断する形態としてもよい。
【０１７８】
また、この場合、放射線検出器６０の予め定められた画素を放射線Ｘの照射の開始を検出するための専用の画素（以下、「検出専用画素」という。）として、当該検出専用画素についてはＴＦＴ７０を介することなく、蓄積電荷を直接読み出すことができるように放射線検出器６０を構成しておく一方、上記検出専用画素の蓄積電荷を予め定められた期間毎に読み出すと共に、読み出した蓄積電荷の値が予め定められた閾値より大きくなった場合に放射線発生装置３４による放射線Ｘの照射が開始されたと判断する形態としてもよい。
【０１７９】
なお、これらの形態においても、上記実施の形態のように、放射線検出器６０による電荷蓄積を開始する直前でリセット動作を行うことが好ましい。
【０１８０】
この場合、人検出部１４０Ａ，１４０Ｂを用いる必要がなくなるため、上記実施の形態に比較して、低コストで本発明を実現することができる。
【０１８１】
また、上記実施の形態では、電子カセッテの形態の一例として図５に示されるものを例示したが、これに限るものではなく、例えば、図１７に示される形態とすることもできる。
【０１８２】
同図に示されるように、この形態では、電子カセッテ３２’の角部に対し、対応する電源装置９６の外形と略同一の形状とされた空間領域３２Ｄを設けておき、当該空間領域３２Ｄに対して電源装置９６を装着する。
【０１８３】
この場合、図５に示される電子カセッテ３２に対して電源装置９６を取り外す際の容易性向上のために設けられていた固定部材３２Ｃおよび付勢部材３２Ｂを設ける必要がなくなるため、電子カセッテの軽量化および低コスト化を実現できる。
【０１８４】
また、上記実施の形態では、放射線撮影が行われた後の電源装置９６を撮影者が充電装置４０に装着する形態に本発明を適用した場合について説明したが、本発明はこれに限定されるものではなく、例えば、電源装置９６を撮影者が被検者に渡し、当該被検者が受付担当者に渡す形態に本発明を適用する形態してもよい。この場合も、上記実施の形態と同様の効果を奏することができる。
【０１８５】
また、上記実施の形態では、本発明の放射線画像撮影装置を可搬型の電子カセッテに適用した場合について説明したが、本発明はこれに限定されるものではなく、一例としてラック４５やベッド４６等に固定的に備えられた、所謂ビルドイン型の放射線画像撮影装置に適用する形態としてもよい。この場合も、上記実施の形態と同様の効果を奏することができる。
【０１８６】
また、上記実施の形態では、電源装置９６のメモリ９６Ｂに対して被検者情報の全てを記憶させた場合について説明したが、本発明はこれに限定されるものではなく、例えば、被検者の氏名またはＩＤ等の、被検者を特定できる最低限の情報のみを記憶させる形態とすることもできる。この場合も、上記実施の形態と同様の効果を奏することができる。
【０１８７】
また、上記実施の形態では、本発明の電源部として二次電池を適用した場合について説明したが、本発明はこれに限定されるものではなく、電界コンデンサ、電気二重層コンデンサ、リチウム・イオン・キャパシタ等のキャパシタを本発明の電源部として適用する形態としてもよい。この場合も、上記実施の形態と同様の効果を奏することができる。
【０１８８】
また、上記実施の形態では、本発明の電源装置として、二次電池を有するものを適用した場合について説明したが、本発明はこれに限定されるものではなく、本発明の電源装置として燃料電池を適用する形態としてもよい。なお、この場合は、アルコール水、アンモニア水等の燃料を充填する充填部が本発明の電源部に相当するものとなる。この場合も、上記実施の形態と同様の効果を奏することができる。
【０１８９】
また、上記実施の形態では、本発明の電源装置として本発明の電源部が固定的に組み込まれているものを適用した場合について説明したが、本発明はこれに限定されるものではなく、電源部が電源装置に対して着脱可能に構成する形態としてもよい。この場合も、上記実施の形態と同様の効果を奏することができる。
【０１９０】
また、上記実施の形態では、充電装置４０を商用電源の電力線を介して病院内ネットワーク１６に接続可能とする場合について説明したが、本発明はこれに限定されるものではなく、例えば、無線ＬＡＮを介して病院内ネットワーク１６に接続可能とする形態とすることもできる。
【０１９１】
また、上記実施の形態では、コンソール４２により、放射線検出器６０による電荷蓄積を開始するタイミングを決定する処理を実行する場合について説明したが、本発明はこれに限定されるものではなく、例えば、この処理を電子カセッテ３２にて実行する形態としてもよい。
【０１９２】
また、上記実施の形態では、放射線検出器６０による電荷蓄積期間が撮影部位毎に予め定められた期間で固定とされている場合について説明したが、本発明はこれに限定されるものではなく、例えば、撮影によって得られた放射線画像の用途等に応じて上記電荷蓄積期間を適宜設定する形態としてもよい。この場合、より利便性を向上させることができる。
【０１９３】
また、上記実施の形態では、人検出部１４０Ａおよび人検出部１４０Ｂをラック４５およびベッド４６に設けた場合について説明したが、本発明はこれに限定されるものではなく、例えば、電子カセッテ３２に設ける形態としてもよい。
【０１９４】
また、上記実施の形態では、電子カセッテ３２とコンソール４２との間、放射線発生装置３４とコンソール４２との間、人検出部１４０Ａおよび人検出部１４０Ｂとコンソール４２との間で、無線にて通信を行う場合について説明したが、本発明はこれに限定されるものではなく、例えば、これらの少なくとも１つを有線にて通信を行う形態としてもよい。
【０１９５】
また、上記実施の形態では、オフセット画像データを放射線画像の撮影を行う際と同一の電荷蓄積期間として取得する場合について説明したが、本発明はこれに限定されるものではなく、例えば、放射線画像の撮影を行う際の電荷蓄積期間よりも短い期間を適用してオフセット画像データを取得し、取得したオフセット画像データに対して、短くした電荷蓄積期間に対応する係数を乗算することによりオフセット画像データを補正して適用する形態としてもよい。この場合、オフセット画像データを取得するための期間を短縮することができる。
【０１９６】
また、上記実施の形態では、実際の放射線画像の撮影を行う直前にオフセット画像データを取得する場合について説明したが、本発明はこれに限定されるものではなく、例えば、予め想定される、互いに異なる複数の電荷蓄積期間の各々毎に予めオフセット画像データを取得しておき、実際の放射線画像の撮影時と同一か、または最も近い電荷蓄積期間で取得したオフセット画像データを適用する形態としてもよい。この場合、事前にオフセット画像データを取得しておくことができるため、放射線画像の撮影時における処理上の負荷を軽減することができる。
【０１９７】
また、上記実施の形態では、本発明を放射線撮影室にて放射線画像の撮影を行う形態に適用した場合について説明したが、本発明はこれに限定されるものではなく、例えば、回診により放射線画像の撮影を行う形態、在宅にて放射線画像の撮影を行う形態、災害現場にて放射線画像の撮影を行う形態等の他の形態に本発明を適用してもよい。
【０１９８】
また、上記実施の形態では、放射線としてＸ線を適用した場合について説明したが、本発明はこれに限定されるものではなく、γ線等の他の放射線を適用する形態としてもよい。
【０１９９】
その他、上記実施の形態で説明したＲＩＳ１０の構成（図１参照。）、放射線撮影室４４の構成（図２参照。）、電子カセッテ３２の構成（図３，図５参照。）、充電装置４０の構成（図４参照。）、撮影システム１８の構成（図６参照。）は一例であり、本発明の主旨を逸脱しない範囲内において、不要な部分を削除したり、新たな部分を追加したり、接続状態を変更したりすることができることは言うまでもない。
【０２００】
また、上記実施の形態で説明した撮影オーダ情報の構成（図７参照。）も一例であり、本発明の主旨を逸脱しない範囲内において、不要な情報を削除したり、新たな情報を追加したり、情報を変更したりすることができることは言うまでもない。
【０２０１】
また、上記実施の形態で説明した各種プログラムの処理の流れ（図８〜図１０，図１２，図１３参照。）も一例であり、本発明の主旨を逸脱しない範囲内において、不要なステップを削除したり、新たなステップを追加したり、処理順序を入れ換えたりすることができることは言うまでもない。
【０２０２】
さらに、上記実施の形態で説明した警告画面の構成（図１１参照。）も一例であり、本発明の主旨を逸脱しない範囲内において、表示内容を変更することができることは言うまでもない。
【符号の説明】
【０２０３】
１８    放射線画像撮影システム
３２    電子カセッテ（放射線画像撮影装置）
３４    放射線発生装置
４０    充電装置
４０Ａ  表示部（表示手段）
４０Ｂ  ロック機構（脱着禁止手段）
４０Ｃ  充電部（充電手段）
４０Ｄ  メモリアクセス部（読取手段）
４０Ｆ  給電部（通信手段）
４２    コンソール
９２    カセッテ制御部
９２Ａ  ＣＰＵ（画像処理手段）
９４    無線通信部（受信手段，送信手段）
９６    電源装置
９６Ａ  電池（電源部）
９６Ｂ  メモリ（記憶手段）
１００  ディスプレイ
１０２  操作パネル
１０４  ＣＰＵ
１１０  ＨＤＤ
１１８  無線通信部
１３０  放射線源
【図１】
2012035009.tif 000003
【図２】
2012035009.tif 000004
【図３】
2012035009.tif 000005
【図４】
2012035009.tif 000006
【図５】
2012035009.tif 000007
【図６】
2012035009.tif 000008
【図７】
2012035009.tif 000009
【図８】
2012035009.tif 000010
【図９】
2012035009.tif 000011
【図１０】
2012035009.tif 000012
【図１１】
2012035009.tif 000013
【図１２】
2012035009.tif 000014
【図１３】
2012035009.tif 000015
【図１４】
2012035009.tif 000016
【図１５】
2012035009.tif 000017
【図１６】
2012035009.tif 000018
【図１７】
2012035009.tif 000019